(57)【要約】【課題】  ＲＦＩＤリーダ／ライタ用アンテナ及びＲＦＩＤリーダ／ライタにおいて、強い磁界強度を保持した広い交信エリアを確保すること。【解決手段】  電磁誘導によりＲＦＩＤタグＴに対してデータの交信が可能なＲＦＩＤリーダ／ライタＲＷ１のアンテナであって、面状に並べられた複数のループアンテナ部１３と、複数のループアンテナ部１３のうち一つとリーダ／ライタ本体１２とを接続すると共に、交信時に接続するループアンテナ部１３を順次別のものに切り替えるアンテナ切替部１５とを備えている。【選択図】  図１
2007305004.tif 000002
【特許請求の範囲】
【請求項１】
電磁誘導によりＲＦＩＤタグに対してデータの交信が可能なＲＦＩＤリーダ／ライタのアンテナであって、
面状に並べられた複数のループアンテナ部と、
前記複数のループアンテナ部のうち一つと前記ＲＦＩＤリーダ／ライタの本体とを接続すると共に、前記交信時に接続する前記ループアンテナ部を順次別のものに切り替えるアンテナ切替部とを備えていることを特徴とするＲＦＩＤリーダ／ライタ用アンテナ。
【請求項２】
請求項１に記載のＲＦＩＤリーダ／ライタ用アンテナであって、
前記複数のループアンテナ部が、互いに間隔を空けて配置されていることを特徴とするＲＦＩＤリーダ／ライタ用アンテナ。
【請求項３】
請求項１又は２に記載のＲＦＩＤリーダ／ライタ用アンテナであって、
前記複数のループアンテナ部が、一方向に並べられていることを特徴とするＲＦＩＤリーダ／ライタ用アンテナ。
【請求項４】
請求項１から３のいずれか一項に記載のＲＦＩＤリーダ／ライタ用アンテナであって、
前記複数のループアンテナ部の少なくとも１つが異なる形状とされていることを特徴とするＲＦＩＤリーダ／ライタ用アンテナ。
【請求項５】
アンテナを介して電磁誘導によりＲＦＩＤタグに対してデータの交信が可能なＲＦＩＤリーダ／ライタであって、
前記アンテナが、請求項１から４のいずれか一項に記載のＲＦＩＤリーダ／ライタ用アンテナであることを特徴とするＲＦＩＤリーダ／ライタ。
【発明の詳細な説明】
【技術分野】
【０００１】
本発明は、電磁誘導を利用して非接触で情報の交信を行うＲＦＩＤ(Radio Frequency Identification)システムのＲＦＩＤリーダ／ライタ用アンテナ及びこれを用いたＲＦＩＤリーダ／ライタに関する。
【背景技術】
【０００２】
近年、微小な無線チップにより人や物を識別すると共に管理するＲＦＩＤ(Radio Frequency Identification)技術を用いたシステムが注目されている。このＲＦＩＤシステムでは、商品等に貼付したＲＦＩＤタグにデータを記憶させておき、無線によりＲＦＩＤリーダ／ライタまたはリーダで交信することで商品等の識別及び情報を自動的に認識して管理するものである。このＲＦＩＤシステムは、製造、販売、物流又は貸与サービス等において、ＲＦＩＤタグを取り付けた物や人などの所在やＩＤ等の情報を検出してその移動等を管理することに広く採用されつつある。
【０００３】
上記ＲＦＩＤシステムは、図９に示すように、例えば図示しないアンテナコイルとコンデンサとからなる共振回路とデータを保持するＩＣチップとを備えたＲＦＩＤタグＴと、ＲＦＩＤタグＴからの情報を非接触で交信するＲＦＩＤリーダ／ライタＲＷ０（またはリーダ：以下、リーダはリーダ／ライタの一部機能として技術的に扱うことができるので、リーダ／ライタに含める）とから構成されている。このＲＦＩＤリーダ／ライタＲＷ０は、磁界を放射するリーダ／ライタ用アンテナ１と、該リーダ／ライタ用アンテナ１に高周波（ＲＦ）を送信すると共にリーダ／ライタ用アンテナ１で受信したＲＦＩＤタグＴからの情報を解析するリーダ／ライタ本体２とを備えている。
【０００４】
上記ＲＦＩＤタグＴとＲＦＩＤリーダ／ライタＲＷ０とのデータ交信は、リーダ／ライタ本体２に接続されたリーダ／ライタ用アンテナ１を介して行われるが、３０ＭＨｚ程度までの周波数帯（例えば１３．５６ＭＨｚ）で使用されるアンテナとしては通常ループアンテナが用いられる（特許文献１参照）。このループアンテナは、放射する磁界の固有の指向性を持っており、タグアンテナ及びリーダ／ライタ用アンテナ１双方の角度、位置により交信状態が変化する。
【０００５】
【特許文献１】特開２００４−１１８４４０号公報
【発明の開示】
【発明が解決しようとする課題】
【０００６】
しかしながら、上記従来の技術には、以下の問題が残されている。
従来のリーダ／ライタ用のアンテナでは、図８に示すように、そのアンテナ径によってアンテナ中心軸上の磁界強度（磁束密度）が異なる特性を有しているため、交信エリアがアンテナ径により制限される。すなわち、アンテナ径に応じてアンテナ中心軸上の磁界成分（Ｘ成分）が異なる。例えば、図９の（ａ）に示すように、ループアンテナ３のアンテナ径が大きいリーダ／ライタ用アンテナ１の場合は、アンテナ中心部のアンテナ近傍における磁界が弱まり、金属が近くに来るような場合に交信不能になることがあるが、図９の（ｂ）に示すように、逆にループアンテナ３のアンテナ径が小さいリーダ／ライタ用アンテナ１の場合は、交信エリアが狭くなり、交信距離も短くなるが、アンテナ近傍の磁界は強くなる。このように、交信エリアが限られるため、リーダ／ライタ用アンテナ１に対するＲＦＩＤタグＴの位置がずれてしまうと交信不良が生じてしまう不都合があった。特に、金属板４上にＲＦＩＤタグＴを取り付けたオンメタルタグ（登録商標）を読み取る場合には、強い磁界が必要となるため、高い磁界強度が得られる交信エリアを確保する必要があった。
【０００７】
本発明は、前述の課題に鑑みてなされたもので、強い磁界強度を保持した広い交信エリアを確保することができるＲＦＩＤリーダ／ライタ用アンテナ及びＲＦＩＤリーダ／ライタを提供することを目的とする。
【課題を解決するための手段】
【０００８】
本発明は、前記課題を解決するために以下の構成を採用した。すなわち、本発明のＲＦＩＤリーダ／ライタ用アンテナは、電磁誘導によりＲＦＩＤタグに対してデータの交信が可能なＲＦＩＤリーダ／ライタのアンテナであって、面状に並べられた複数のループアンテナ部と、前記複数のループアンテナ部のうち一つと前記ＲＦＩＤリーダ／ライタの本体とを接続すると共に、前記交信時に接続する前記ループアンテナ部を順次別のものに切り替えるアンテナ切替部とを備えていることを特徴とする。
また、本発明のＲＦＩＤリーダ／ライタは、アンテナを介して電磁誘導によりＲＦＩＤタグに対してデータの交信が可能なＲＦＩＤリーダ／ライタであって、前記アンテナが、上記本発明のＲＦＩＤリーダ／ライタ用アンテナであることを特徴とする。
【０００９】
これらのＲＦＩＤリーダ／ライタ用アンテナ及びＲＦＩＤリーダ／ライタでは、所定の交信距離で磁界強度が最適になるアンテナサイズのループアンテナ部を同一面状に複数並べ、アンテナ切替部により、交信時に接続するループアンテナ部を順次別のものに切り替えるので、高い磁界強度の交信エリアが複数並べられて順次切り替えられる状態となる。したがって、アンテナサイズの大きな一つのループアンテナを採用する場合よりも、広く強い磁界の交信エリアが確保でき、交信性能を向上させることができる。
特に、金属板に取り付けたＲＦＩＤタグとの交信においては、各ループアンテナ部が小型で磁界強度が強いため、ＲＦＩＤタグを取り付けた金属の影響を低減させることができる。例えば、アンテナとして、１２×３８ｍｍのサイズかつ３ターン巻きで配線されたアンテナ１（小）と、５３×５２ｍｍのサイズかつ５ターン巻きで配線されたアンテナ２（中）と、１１４×５７ｍｍのサイズかつ１ターン巻きで配線されたアンテナ３（大）との３種類について、各アンテナ１〜３の金属板−アンテナ間距離とアンテナの共振周波数変化率との関係を図１０に示す。この図からわかるように、アンテナサイズに応じて金属板−アンテナ間距離に対する共振周波数変化率が変わり、アンテナサイズが小さい方が金属の影響を受け難く、共振周波数の変化が小さくなる。このように一つの面積の広いアンテナよりも、小さいサイズのアンテナを複数組み合わせると、金属の影響が少なく、広い交信エリアを確保することができる。
なお、本発明において、ＲＦＩＤリーダ／ライタ用とは、ＲＦＩＤの読み取り機能を有するリーダ及びＲＦＩＤの書き込み機能を有するライタの少なくとも一方を備えた装置に用いるものをいう。
【００１０】
また、本発明のＲＦＩＤリーダ／ライタ用アンテナは、前記複数のループアンテナ部が、互いに間隔を空けて配置されていることを特徴とする。すなわち、このＲＦＩＤリーダ／ライタ用アンテナでは、複数のループアンテナ部が、互いに間隔を空けて配置されているので、隣接したループアンテナ部との共振による干渉を低減させることができる。
【００１１】
また、本発明のＲＦＩＤリーダ／ライタ用アンテナは、前記複数のループアンテナ部が、一方向に並べられていることを特徴とする。すなわち、このＲＦＩＤリーダ／ライタ用アンテナでは、複数のループアンテナ部が一方向に並べられているので、ＲＦＩＤタグの移動方向をループアンテナ部の並べられた方向に一致させることで、移動するＲＦＩＤタグに対する交信性能を向上させることができる。
【００１２】
また、本発明のＲＦＩＤリーダ／ライタ用アンテナは、前記複数のループアンテナ部の少なくとも１つが異なる形状とされていることを特徴とする。すなわち、このＲＦＩＤリーダ／ライタ用アンテナでは、複数のループアンテナ部の少なくとも１つが異なる形状とされているので、サイズの異なるループアンテナ部でアンテナ中心軸方向の異なる磁界強度を得られ、アンテナ中心軸方向における交信エリアが広くなる。したがって、ループアンテナ部とＲＦＩＤタグとの距離のずれに対しても交信性能を改善することができる。
【発明の効果】
【００１３】
本発明のＲＦＩＤリーダ／ライタ用アンテナ及びＲＦＩＤリーダ／ライタによれば、面状に並べられた複数のループアンテナ部と、交信時に接続するループアンテナ部を順次別のものに切り替えるアンテナ切替部とを備えているので、アンテナサイズの大きな一つのループアンテナを採用する場合よりも、広く強い磁界の交信エリアが確保でき、交信性能を向上させることができる。特に、金属板に取り付けたＲＦＩＤタグとの交信においては、各ループアンテナ部が小型で磁界強度が強いため、ＲＦＩＤタグを取り付けた金属の影響を低減させることができる。
【発明を実施するための最良の形態】
【００１４】
以下、本発明にかかるＲＦＩＤリーダ／ライタ用アンテナ及びＲＦＩＤリーダ／ライタの第１実施形態を、図１から図４を参照しながら説明する。
本実施形態のＲＦＩＤリーダ／ライタ用アンテナ１１及びＲＦＩＤリーダ／ライタＲＷ１は、例えば、通信周波数１３．５６ＭＨｚの電磁誘導方式を採用したＲＦＩＤシステムに用いられるものであり、図１に示すように、ＲＦＩＤタグＴと非接触でデータ交信を行うものである。
【００１５】
このＲＦＩＤリーダ／ライタＲＷ１は、ＲＦＩＤタグＴに対して電力供給とデータの送受信を行うために磁界を放射するＲＦＩＤリーダ／ライタ用アンテナ１１と、該ＲＦＩＤリーダ／ライタ用アンテナ１１に接続されＲＦＩＤリーダ／ライタ用アンテナ１１を駆動すると共に送受信するデータの処理を行うリーダ／ライタ本体１２とを備えている。
上記ＲＦＩＤリーダ／ライタ用アンテナ１１は、平面状に並べられた複数のループアンテナ部１３（本実施形態では３つ）と、複数のループアンテナ部１３のうち一つとリーダ／ライタ本体１２とを接続すると共に、交信時に接続するループアンテナ部１３を順次別のものに切り替えるアンテナ切替部１５とを備えている。なお、各ループアンテナ部１３とアンテナ切替部１５は、接続線１４により接続されている。
【００１６】
上記ループアンテナ部１３は、ＦＲ４（Flame Retardant Type 4：ガラスエポキシ）等を用いたプリント基板（ＰＣＢ）で作製され、長方形状に形成されたＦＲ４の基板１３ａと、該基板１３ａ表面上にＣｕ（銅）で配線されたアンテナ配線部１３ｂとを備えている。上記基板１３ａは、例えば１５ｍｍ×５２ｍｍのサイズに設定されている。また、上記アンテナ配線部１３ｂは、例えば１１ｍｍ×２８ｍｍのサイズで３ターン巻きで配線されていると共に、接続線１４と繋ぐ部分で基板１３ａ裏面へスルーホールを介して配線されている。なお、アンテナ配線部１３ｂは、Ｃｕ配線の巻き線で構成しても構わない。
【００１７】
また、各ループアンテナ部１３は、互いの長辺側を隣接させて互いに所定の間隔を空けて一方向に配列されている。すなわち、これらループアンテナ部１３は、ＲＦＩＤタグＴの移動方向に一致させて配列されている。
各ループアンテナ部１３の間隔は、図２に示すように、ループアンテナ部１３間距離に対する反射係数の関係から２０ｍｍ以上に設定される。すなわち、ループアンテナ部１３同士の間隔を２０ｍｍ以上離間させることにより、他のループアンテナ部１３の共振が影響して生じる干渉を低減させることができる。なお、ループアンテナ部１３の間隔を２０ｍｍ未満に設定する場合は、他のループアンテナ部１３の共振による影響を低減させるために、同調の調整を行うことが好ましい。
【００１８】
なお、この図２におけるグラフは、図３に示すように、ループアンテナ部１３の間に所定間隔を空けて同一形状の被測定ループアンテナ１３Ｓを配置し、ループアンテナ部１３との間隔ｄを変えながら計測した結果である。
なお、いずれかのループアンテナ部１３の先端を逆方向に向けても、他のループアンテナ部１３との干渉レベルに差は生じない。
【００１９】
上記リーダ／ライタ本体１２は、高周波を発生させる高周波電源部１２ａと、送受信するデータの変換を行う通信回路部１２ｂと、送受信するデータのデコードを行う演算処理部１２ｃと、データを記憶する記憶部１２ｄとを備えている。
上記ＲＦＩＤタグＴは、名札、ＩＤカード、定期券、回数券等に適用される非接触ＩＣカード等や図書館の書籍管理等に適用される非接触ＩＣラベル等に用いられるものである。また、オンメタルタグ（登録商標）は、金属板４に取り付けられており、磁束によって生じた起電力で駆動されるＩＣチップ（図示略）、タグアンテナ（図示略）及び磁性体（図示略）を備えている。
上記金属板４は、例えば青銅板、白銅板、ステンレス板、アルミニウム板、チタン板等の純金属板又は合金板である。
【００２０】
このＲＦＩＤリーダ／ライタＲＷ１でＲＦＩＤタグＴとデータ交信を行うには、ＲＦＩＤリーダ／ライタ用アンテナ１１から所定距離だけ離れた上方にＲＦＩＤタグＴを配置させた状態で、ＲＦＩＤリーダ／ライタ用アンテナ１１から磁界を放射させる。このとき、ＲＦＩＤタグＴは、ループアンテナ部１３の並べられた方向に沿って移動させられてＲＦＩＤリーダ／ライタ用アンテナ１１上方に配置される。この状態で、アンテナ切替部１５は、リーダ／ライタ本体１２と接続されるループアンテナ部１３を順次切り替えて磁界を放射する交信エリアを順次変更することで、強い磁界強度の領域をループアンテナ部１３の並べられた方向に順次発生させる。
【００２１】
そして、これらの交信エリアのいずれかの位置に配されたＲＦＩＤタグＴでは、強い磁束による起電力によって内部のＩＣチップが駆動され、所定のデータをタグアンテナを介して送信する。すなわち、ＲＦＩＤタグＴがＲＦＩＤリーダ／ライタ用アンテナ１１の中心上方から多少ずれて配置されても、順次切り替えられる交信エリアのいずれかで高い磁界を受け、データを送信する。さらに、このタグアンテナからの送信をＲＦＩＤリーダ／ライタ用アンテナ１１のうち最適位置にあるループアンテナ部１３が受信し、このデータがリーダ／ライタ本体１２に送られることで、データ交信が行われる。
【００２２】
このように本実施形態では、所定の交信距離で磁界強度が最適になるアンテナサイズのループアンテナ部１３を同一面状に複数並べ、アンテナ切替部１５により、交信時に接続するループアンテナ部１３を順次別のものに切り替えるので、高い磁界強度の交信エリアが複数並べられて交信エリアが順次切り替えられる状態となる。したがって、アンテナサイズの大きな一つのループアンテナを採用する場合よりも、広く強い磁界の交信エリアが確保でき、交信性能を向上させることができる。
【００２３】
また、複数のループアンテナ部１３が、互いに間隔を空けて配置されているので、隣接したループアンテナ部１３との共振による干渉を低減させることができる。さらに、複数のループアンテナ部１３が一方向に並べられているので、ＲＦＩＤタグＴの移動方向をループアンテナ部１３の並べられた方向に一致させることで、移動するＲＦＩＤタグＴに対する交信性能を向上させることができる。
【００２４】
次に、本実施形態のＲＦＩＤリーダ／ライタ用アンテナ１１及びＲＦＩＤリーダ／ライタＲＷ１を実際に採用した適用例について、図４を参照して説明する。
【００２５】
本適用例は、図４に示すように、ＲＦＩＤタグＴをノコギリ刃１６に取り付けてノコギリ刃１６のＩＤをＲＦＩＤリーダ／ライタ用アンテナ１１及びＲＦＩＤリーダ／ライタＲＷ１で取得するシステムである。
このようなシステムでは、ノコギリ刃１６に取り付けたＲＦＩＤタグＴとデータ交信するために、回転速度が遅くなったときに交信するか、停止位置を定めて交信する必要があったが、回転速度がある程度速くても交信するためには交信エリアを広くとる必要があった。また、停止位置を定める場合でも、交信エリアが広いほうが停止位置の範囲を広く設定できる。
【００２６】
そこで、本適用例では、円環状のノコギリ刃１６における一方の面にＲＦＩＤタグＴを取り付けておくと共に、ノコギリ刃１６の中心軸を挟んでＲＦＩＤタグＴの反対側にダミータグＤＴを取り付け、ＲＦＩＤタグＴを取り付けた面に所定距離を空けて対向状態にＲＦＩＤリーダ／ライタ用アンテナ１１を配しておく。そして、アンテナ切替部１５によってループアンテナ部１３を切り替えて交信することで、ノコギリ刃１６の回転によってＲＦＩＤタグＴが移動していても交信の確度が向上する。
【００２７】
例えば、上記ノコギリ刃１６のＩＤの読み取りだけを考えれば、交信時間は１００ｍｓｅｃであるが、従来技術のように、基板１３ａの外形が１５ｍｍ×４５ｍｍで、アンテナサイズ１１ｍｍ×２８ｍｍかつ３ターンのループアンテナ部１３を１つ配置した場合、交信エリアの幅方向を３０ｍｍとすると、０．３ｍ／ｓｅｃの移動速度のＲＦＩＤタグＴでもＩＤ交信が可能である。これに対して、本適用例では、このループアンテナ部１３を４つノコギリ刃１６の回転方向に沿って配置することにより、互いに干渉が生じないとすると、１．２ｍ／ｓｅｃの移動速度のＲＦＩＤタグＴでも、ＩＤ交信が可能になる。
このように、ある程度速い回転速度で回転するノコギリ刃１６でも、本適用例によれば、高い確度でそのＩＤを非接触の交信で取得することができる。
【００２８】
次に、第２実施形態及び第３実施形態について、図５及び図６を参照しながら説明する。なお、以下の各実施形態の説明において、上記実施形態において説明した構成要素には同一符号を付し、その説明を省略する。
【００２９】
第２実施形態と第１実施形態との異なる点は、第１実施形態ではループアンテナ部１３が一方向に並べられているのに対し、第２実施形態のＲＦＩＤリーダ／ライタ用アンテナ２１及びＲＦＩＤリーダ／ライタＲＷ２では、図５に示すように、４つのループアンテナ部２３が十字状のスペースを空けて分割された４つの領域に配されている点である。また、第２実施形態のＲＦＩＤリーダ／ライタ用アンテナ２１では、長尺方向に隣接するループアンテナ部２３が互いに先端側を対向させて配されている。
この第２実施形態のようなループアンテナ部２３の配置においても、他のループアンテナ部２３との上記干渉のレベルに差は見られない。
【００３０】
また、第３実施形態と第２実施形態との異なる点は、第２実施形態では長尺方向に隣接するループアンテナ部２３が互いに先端側を対向させて配されているのに対し、第３実施形態のＲＦＩＤリーダ／ライタ用アンテナ３１及びＲＦＩＤリーダ／ライタＲＷ３では、図６に示すように、互いに隣接する一方のループアンテナ部３３における短尺方向に他方のループアンテナ部３３の長尺方向を向けて配し、ループアンテナ部３３で囲まれた中央部分にスペースを設けている点である。この第３実施形態のようにループアンテナ部３３を配置すると、ループアンテナ部３３で囲まれた中央部分で高い磁界強度が確保できず交信エリアをカバーし難くなるが、他のループアンテナ部３３との上記干渉が改善される利点がある。
【００３１】
次に、第４実施形態かかるＲＦＩＤリーダ／ライタ用アンテナ及びＲＦＩＤリーダ／ライタについて、図７を参照しながら説明する。
【００３２】
第４実施形態と第１実施形態との異なる点は、第１実施形態では全て同一形状のループアンテナ部１３を配置しているのに対し、第４実施形態のＲＦＩＤリーダ／ライタ用アンテナ４１及びＲＦＩＤリーダ／ライタＲＷ４では、図７に示すように、４つのループアンテナ部４３Ａ〜４３Ｄを備え、それぞれが異なるアンテナサイズを有している点である。すなわち、第４実施形態の４つのループアンテナ部４３Ａ〜４３Ｄは、並べられた方向順に短尺方向のサイズが順次拡大されて設定されている。
【００３３】
このように第４実施形態では、４つのループアンテナ部４３Ａ〜４３Ｄが、それぞれ異なる形状とされているので、サイズの異なるループアンテナ部４３Ａ〜４３Ｄでアンテナ中心軸方向の異なる磁界強度を得られ、アンテナ中心軸方向における交信エリアが広くなる。したがって、ループアンテナ部４３Ａ〜４３ＤとＲＦＩＤタグＴとの距離のずれに対しても交信性能を改善することができる。
なお、複数のループアンテナ部４３Ａ〜４３Ｄのうち、少なくとも１つが異なる形状とされていれば、距離のずれに対して同様の効果を少なからず得ることができる。
【００３４】
なお、本発明は上記各実施形態に限定されるものではなく、本発明の趣旨を逸脱しない範囲において種々の変更を加えることができる。
上記各実施形態では、各ループアンテナ部１３、２３、３３、４３Ａ〜４３Ｄが平面状に配置されているが、ＲＦＩＤタグＴの設置位置や移動方向などに対応して曲面状などの面状に各ループアンテナ部１３、２３、３３、４３Ａ〜４３Ｄを配置しても構わない。
【００３５】
上記各実施形態では、金属板４に取り付けたＲＦＩＤタグＴとのデータ交信に本発明を採用しているが、他の形態のＲＦＩＤタグにも適用可能である。例えば、金属板だけでなく樹脂製等のカード状のものにＲＦＩＤタグを取り付けたものや、ラベル型、コイン（ボタン）型、ピン型、スティック型等の形態に適用したものでも構わない。
また、上記各実施形態における技術は、データの読み書きが可能なＲＦＩＤリーダ／ライタに適用しているが、データの読み取りのみ可能なＲＦＩＤリーダにも用いることができる。
また、上記各実施形態のＲＦＩＤリーダ／ライタＲＷ１、ＲＷ２、ＲＷ３、ＲＷ４は、ＲＦＩＤリーダ／ライタ用アンテナ１１、２１、３１、４１が固定設置された据え置きタイプやＲＦＩＤリーダ／ライタ用アンテナ１１、２１、３１、４１とリーダ／ライタ本体１２が一体化された手持ち式タイプに適用可能である。
【図面の簡単な説明】
【００３６】
【図１】本発明に係る第１実施形態におけるＲＦＩＤリーダ／ライタ用アンテナ及びＲＦＩＤリーダ／ライタを示す構成図である。
【図２】ループアンテナ部間距離と反射係数との関係を示すグラフである。
【図３】図２のグラフにおける計測方法を説明するためのＲＦＩＤリーダ／ライタを示す構成図である。
【図４】第１実施形態のＲＦＩＤリーダ／ライタ用アンテナ及びＲＦＩＤリーダ／ライタを適用した例において、ノコギリ刃を示す側面図である。
【図５】本発明に係る第２実施形態におけるＲＦＩＤリーダ／ライタ用アンテナ及びＲＦＩＤリーダ／ライタを示す構成図である。
【図６】本発明に係る第３実施形態におけるＲＦＩＤリーダ／ライタ用アンテナ及びＲＦＩＤリーダ／ライタを示す構成図である。
【図７】本発明に係る第４実施形態におけるＲＦＩＤリーダ／ライタ用アンテナ及びＲＦＩＤリーダ／ライタを示す構成図である。
【図８】アンテナ径とアンテナ中心軸上の磁束密度（磁界強度）との関係をアンテナとの距離（ｘ）を変えて示すグラフである。
【図９】本発明に係る従来例におけるＲＦＩＤリーダ／ライタ用アンテナ及びＲＦＩＤリーダ／ライタを示す構成図である。
【図１０】アンテナサイズを変えた場合の金属板−アンテナ間距離とアンテナの共振周波数変化率との関係を示すグラフである。
【符号の説明】
【００３７】
１１、２１、３１、４１…ＲＦＩＤリーダ／ライタ用アンテナ、１２…リーダ／ライタ本体、１３、２３、３３、４３Ａ〜４３Ｄ…ループアンテナ部、１５…アンテナ切替部、Ｔ…ＲＦＩＤタグ、ＲＷ１、ＲＷ２、ＲＷ３、ＲＷ４…ＲＦＩＤリーダ／ライタ
【図１】
2007305004.tif 000003
【図２】
2007305004.tif 000004
【図３】
2007305004.tif 000005
【図４】
2007305004.tif 000006
【図５】
2007305004.tif 000007
【図６】
2007305004.tif 000008
【図７】
2007305004.tif 000009
【図８】
2007305004.tif 000010
【図９】
2007305004.tif 000011
【図１０】
2007305004.tif 000012